(57)【要約】  この発明は、建築構造における隙間、さらに特には隅部および縁における隙間を塞ぎ、封止し、接着するための感圧接着テープに関し、テープの上側に裏打ち（１）と、テープの下側に接着層（２）とを含み、前記接着層は、引き剥がし式のカバーフィルム（３）を備える。この発明に従って、裏打ち（１）と接着層（２）とが共に穿孔された、少なくとも１つの側方の長手部分（７）を備える。
2005511921.tif 000002
【特許請求の範囲】
【請求項１】
家屋建造物における目地、特に隅部および縁の目地を塞ぎ、封止し、接着するための感圧接着テープであって、前記テープの上側に裏打ち（１）と、前記テープの下側に設けられ、引き剥がすことのできるカバーフィルム（３）を有する接着層（２）とを備え、
前記裏打ち（１）および前記接着層（２）が穿孔された、少なくとも１つの側方の長手部分（７）が設けられてなることを特徴とする、感圧接着テープ。
【請求項２】
穿孔された２つの側方の長手部分（７，７′）を備えることを特徴とする、請求項１に記載のテープ。
【請求項３】
非接着中央帯片を備え、前記穿孔された長手部分（７，７′）は、前記中央帯片から離れていることを特徴とする、請求項１または２に記載のテープ。
【請求項４】
前記裏打ち（１）と前記接着層（２）と引き剥がすことのできる前記カバーフィルム（３）とが穿孔されることを特徴とする、請求項１から３のいずれかに記載のテープ。
【請求項５】
前記裏打ち（１）は、壁プラスターに対して良好な接着特性を有する材料、特に孔の空いたような材料を含むことを特徴とする、請求項１から４のいずれかに記載のテープ。
【請求項６】
前記穿孔された長手部分（７，７′）は、平均直径が少なくとも３ｍｍの開口部（８）を有することを特徴とする、請求項１から５のいずれかに記載のテープ。
【請求項７】
前記開口部（８）は、基本的に円形、角のある形、または楕円形であることを特徴とする、請求項６に記載のテープ。
【請求項８】
前記カバーフィルム（３）は、長手方向に少なくとも１つのスリット（６）を有することを特徴とする、請求項１から７のいずれかに記載のテープ。
【請求項９】
前記テープは、前記カバーフィルム（３）の少なくとも一部が外側に配置されるように、前記スリット（６）に沿ってテープ自体の上に折り重ねられることを特徴とする、請求項８に記載のテープ。
【請求項１０】
前記裏打ち（１）の上側に、引き剥がすことのできるカバーフィルムを備える感圧接着縁部分を有することを特徴とする、請求項１から９のいずれかに記載のテープ。
【発明の詳細な説明】
【技術分野】
【０００１】
この発明は、家屋建造物における目地、特に隅部または縁の目地を塞ぎ、封止し、接着するための感圧接着テープに関する。このような接着テープは、また、二次接着テープ、防湿接着テープまたは防湿フィルムとも称される。これらは、特に、窓枠およびドア枠と、それぞれの壁の開口部の対応する縁との間の目地を封止するのに用いられる。この場合、一方では、接着テープは異なる基材に十分に付着し、他方では、感圧接着テープは容易に貼付けられ得る、すなわち容易に接着され得ることが要件とされる。このような感圧接着テープの別の適用例には、個々の構成部品間、たとえば家屋の外壁間の隅部等の目地を封止することが含まれる。このテープの封止機能には、可能な限り気密かつ永久的に目地を塞ぐことが含まれる。
【背景技術】
【０００２】
概して、このような接着テープは、裏打ち層、およびこの裏打ち層に結合される接着層を有する。この接着層は、引き剥がすことのできるカバーフィルムを、接着剤の保護のために備える。カバーフィルムが引き剥がされた後、テープは、始めに目地の一方の縁に接着され、次いで他方の縁に接着される。
【０００３】
このような接着テープの１つの問題は、接着層を異なる基材に適合させなければならない点にある。たとえば、接着層は、木材またはプラスチックと、プラスター、壁用のプラスター、コンクリートまたはレンガ等の僅かに多孔性の基材とに等しく付着する必要がある。公知の二次接着テープのさらなる問題は、接着テープの上側でのその後のさらなる処理、たとえば壁を塗ることにより、接着テープが基材から外れ、これにより、封止されるべき目地が漏れを来たし始める恐れがあるという点にある。
【発明の開示】
【発明が解決しようとする課題】
【０００４】
したがって、この発明の目的は、目地を封止し、塞ぎ、接着するための感圧接着テープを提供することであり、その接着特性は、プラスターなどでのさらなる処理に対して最適化されるものである。この発明のさらなる目的は、目地を封止するための感圧接着テープを提供することであり、この感圧接着テープは、安価に製作し得るが、それにも拘らず良好かつ永久的な封止機能を確実にするものである。
【課題を解決するための手段】
【０００５】
この発明の目的は、請求項１で挙げられる特徴を備える感圧接着テープで達成される。さらなる改良点および展開例は従属クレームの目的である。
【発明を実施するための最良の形態】
【０００６】
この発明のテープは裏打ちを有し、この上に、接着層がたとえばコーティング処理により貼付けられる。接着層はカバーフィルムを備える。このカバーフィルムは、引き剥がすことができ、ライナまたはプロテクタとも称され、汚染などから接着層を保護し、かつ、接着剤に非常に粘着性がある場合でも接着テープを巻くことができるようにする。この発明に従って、このテープは、少なくとも１つの側方の長手部分、すなわち接着テープの長手側に１つの領域を有する。この領域の裏打ちおよび接着層は穿孔され、これは、裏打ちおよび接着層を通る少なくとも１列の開口部を設けることを意味する。その後プラスターまたは石膏などを塗る際にテープの接着がこの穿孔により向上する。というのも、プラスターが穿孔の開口部において基材に直接付着し、これにより、多孔性基材に対してもテー
プの接着を強化するからである。これらの手段により、プラスターなどを塗布された層の湿気および重みのせいで、テープが基材から外れ、漏れを生じ得るか、またはプラスター層が崩れ得るのを防止する。壁紙または装飾パネルが次にテープの上に接着されたとしても、接着層の基材との結合は向上する。接着テープの１つの側方の長手部分のみが穿孔されるので、中央の接着領域は接着テープの封止機能を確保することができる。接着テープの側方の長手部分の穿孔は、基本的に円形、角のある形、または楕円形の、好ましくは均一に分散される開口部により形成され得る。これらの手段により、接着層の接着機能に及ぼされる悪影響は可能な限り少なくなるが、それにも拘らず、接着テープに塗布される素材層の浸透が生じて、開口部を通り、接着テープを接着する基材に達することができる。
【０００７】
この発明の有利な実施形態では、穿孔された長手部分の開口部の平均直径は、少なくとも３ｍｍである。
【０００８】
有利には、これら開口部は、基本的には円形、角のある形または楕円形である。
【０００９】
この発明の有利な発展例に従えば、穿孔された２つの側方の長手部分が設けられる。このような接着テープでもって、内部構造における構成部品間の目地を封止し、目地の両側の接着テープを次に素材層で仕上げることができる。しかし、接着テープ上に塗布されるプラスター層の厚さとは無関係に、目地の区域は漏れを来たすことがない。というのも、接着テープの中央が穿孔されないからである。穿孔されないこの部分の幅は、封止されるべき目地の最大幅より広い。
【００１０】
この発明のさらなる有利な発展例に従えば、非接着中央帯片が設けられる。穿孔された長手部分はこの中央帯片からは離れている。これは、しわがよらずに滑らかにテープを隅部および縁に接着し得るという利点を持つ。というのも、非接着中央帯片により、すぐには付着せず、かつ接着中に折目を形成せずにテープを隅部に押付けることが可能となるからである。穿孔された長手部分が中央帯片から離れているので、封止されるべき目地を非接着中央帯片で覆ったとき、穿孔開口部が漏れをもたらすのを防止する。
【００１１】
この発明のさらなる有利な発展例に従えば、裏打ちと、接着層と、引き剥がすことのできるカバーフィルムとが穿孔される。これは、テープを容易に製作し得るという利点を有する。この点に関連し、カバーフィルムは、打抜き装置等の穿孔工具と感圧接着テープの接着層との間の接触を防ぐ。
【００１２】
この発明のさらなる有利な発展例に従えば、裏打ちは、壁プラスターのための良好な接着特性を有する材料を含む。このような良好な接着特性は、たとえば孔の空いた材料によって確実にされる。壁プラスターと裏打ちとの間の結合、これに応じてテープと基材との間の接着結合もまた、これらの手段により向上する。壁プラスターの部分が剥離したり欠けたりするのを確実に防ぐ。
【００１３】
この発明のさらなる有利な発展例に従えば、カバーフィルムは、長手方向に少なくとも１つのスリットを有する。テープは、カバーフィルムの少なくとも一部が外側に配置されるように、このスリットに沿ってテープ自体の上に折り重ねられてもよい。これらの手段により、テープはまた、縁および隅部領域に容易に接着できる。というのも、始めにカバーフィルムの一部を引き剥がし、テープのこの部分を接着することができるからである。同時にテープの他の部分の接着層が保護されたまま残るので、その側部が意図せずに付着する恐れはない。アクセスするのが難しい区域または隅部における接着テープの処理もまた、これらの手段により簡略化される。それにも拘らず、穿孔開口部により、テープの少なくとも一部上に次に塗布されるプラスター等の層が部分的に浸透し得るという理由で、この発明の接着テープによって確実な保持が保証される。
【００１４】
この発明のさらなる有利な実施形態は、裏打ちの縁の上側に、引き剥がすことのできるカバーフィルムを備えた接着部分を有する点にある。これは、封止テープを窓枠またはドア枠に接着してから、これらの枠をレンガ積みの開口部に据付けることができるという利点を有する。据付け後に、他の接着領域をレンガ積みに接着し、プラスター塗りを施してもよい。これらの手段により、隅部領域などのせいで特殊な問題を有する特殊な目地も、テープで気密に密封することができる。
【００１５】
この発明は、図面に関連して実施例により以下にさらに詳細に記載される。
【実施例１】
【００１６】
図１には、裏打ち１と、接着層２と、接着層２に設けられるカバーフィルム３とを有する二次接着テープ１が示される。この実施例の場合、カバーフィルム３には、テープの長手方向に２つのスリット６がある。代わりに、カバーフィルムにはまた、スリットがないか、単一のスリット６があるだけでもよい。二次接着テープの長手部分７において、裏打ち１および接着層２は、穿孔され、すなわち裏打ち１および接着層２を通る複数の開口部を備える。長手部分７の穿孔は、実施例に示されるように、円形の開口部８、または角のある形、楕円形もしくは不定形の開口部からなっていてもよい。長手部分７の穿孔の開口部は、均一に分散して配置されるか、または、二次接着テープの側方縁の方向に小さくなるか、もしくは数が減ってもよい。好ましくは、長手部分７における穿孔開口部の平均直径は、少なくとも３ｍｍであり、これにより、二次接着テープを処理した後に裏打ち上に塗布されるプラスターの十分な浸透が確実なものとなる。プラスターは、基材と組合せることによりさらなる保持効果をもたらす。それにより、二次接着テープを接着すると、穿孔のある長手部分７における接着効果が穿孔の開口部のせいで減ずる。しかしながら、この効果は、その後、塗布される壁プラスターにより、減じた以上に補われる。有利には、負荷が壁プラスターなどの層によって接着テープの裏打ちにかかって、接着テープが基材から外れ、漏れを来たすおそれが生じるのを防ぐ。
【００１７】
図２には、図１の二次接着テープが、接着テープの一部をそれ自体の上に折り重ねた状態で示される。これに応じて、予め折り重ねられた二次接着テープが形成される。この二次接着テープは、最初にカバーフィルム３の一部を引き剥がし、たとえば縁または隅部領域に容易に接着してから、（図２における、図示されない接着テープの裏面の）カバーフィルム３の他の部分を引き剥がし、接着し得るような態様で、カバーフィルム３のスリット６のところで予め折り重ねられる。接着テープの穿孔された長手部分７の開口部８は、この実施例では、均一に分散され、円形である。しかしながら、これらは、異なる形状であってもよく、または長手部分７にわたり不均一に分散されてもよい。
【実施例２】
【００１８】
図３には、この発明のさらなる実施例が示され、裏打ちの上側の縁が、引き剥がすことのできるカバーフィルム１０を備える接着部分９を有する。図３では、この発明の感圧接着テープが下側から見えるように視角が選択される。その他の点については、図３の二次接着テープは図１の二次接着テープに対応して図示され、同一の特徴に対する参照符号は同一である。
【図面の簡単な説明】
【００１９】
【図１】穿孔された長手部分を備える、この発明の感圧接着テープの第１の実施例を示す図である。
【図２】図１の接着テープがそれ自体の上に部分的に折り重ねられた状態を示す図である。
【図３】穿孔された長手部分とその上側に接着縁部分とを備える、この発明の感圧接着テープの第２の実施例を示す図である。
【図１】
2005511921.tif 000003
【図２】
2005511921.tif 000004
【図３】
2005511921.tif 000005
【国際調査報告】
2005511921.tif 000006
2005511921.tif 000007
2005511921.tif 000008
2005511921.tif 000009
2005511921.tif 000010
2005511921.tif 000011